(57)【特許請求の範囲】
【請求項１】
内視鏡とともに用いて、膨張させたバルーンにより狭窄部を拡張させるバルーンダイレーターにおいて、
前記バルーンには、長手方向の中央部に中央マーカーを設けるとともに、前記中央マーカーよりも前記バルーンの先端側に先端側マーカー、前記中央マーカーよりも前記バルーンの基端側に基端側マーカーをそれぞれ設け、
前記中央マーカー、前記先端側マーカー、及び前記基端側マーカーは、前記バルーンの周方向に線状に形成され、かつ、前記中央マーカーは、前記先端側マーカー及び前記基端側マーカーよりも太く形成され、
前記バルーンは、可撓性を有するシャフトの先端側に接続され、
膨張する前の収縮した状態のバルーンは、内側面どうしを重ね合わせることにより二層状となった重合片が複数形成されるとともに、各重合片がそれぞれ前記シャフトに巻き付けられ、
前記バルーンは、生理食塩水で膨張させた際に、前記内視鏡で前記バルーン越しに前記狭窄部を視認できる光透過性を有し、
前記中央マーカー、前記先端側マーカー、及び前記基端側マーカーは、前記収縮した状態のバルーンの表面に連続線状に形成され、
前記中央マーカー、前記先端側マーカー、及び前記基端側マーカーは、前記バルーンを膨張させた際に前記重合片どうしの重なり合いが解消されて破線となる
バルーンダイレーター。
【発明の詳細な説明】
【技術分野】
【０００１】
本発明は、内視鏡を用いたバルーン拡張術に使用するバルーンダイレーターに関するものである。
【背景技術】
【０００２】
従来、生体内の管腔に生じた狭窄を拡張させる処置として、バルーンダイレーターを用いたバルーン拡張術が知られている。例えば、食道がんのために食道の一部分を切除する手術を行った場合に、術後の吻合部において線維芽細胞の過剰な増殖が生じて吻合部の狭窄が生じることがある。吻合部に狭窄が生じると、嚥下障害により食事が摂れなくなることもある。このような場合にバルーン拡張術が施術される。
【０００３】
バルーン拡張術で使用するバルーンダイレーターは、内視鏡とともに使用する。バルーンダイレーターの先端には収縮した状態のバルーンが設けられている。収縮した状態のバルーンを狭窄部に挿入して配置した後、バルーン内に生理食塩水等の作動流体を送給することにより、バルーンを膨張させて狭窄部を押し広げ、狭窄を解消させる。
【０００４】
ところで、バルーン拡張術においては、バルーンを膨張させる際にバルーンが狭窄部に対して位置ずれすることがある。バルーンの位置ずれを防止するため、バルーンの表面にスリーブや編組層を設けてバルーンと管腔内壁との摩擦を増加させる技術も知られている（例えば、特許文献１、２参照。）。
【先行技術文献】
【特許文献】
【０００５】
【特許文献１】特開２００５−２７８６８４号公報
【特許文献２】特開２００８−０３６３９１号公報
【発明の概要】
【発明が解決しようとする課題】
【０００６】
しかしながら、バルーンと管腔内壁との摩擦不足だけがバルーンの位置ずれの原因ではない。膨張させる前のバルーンが狭窄部に正しく配置されていない場合、バルーンを膨張させる際にバルーンが狭窄部に対して位置ずれし易くなる。例えば、バルーンの中央部が狭窄部から外れている場合、バルーンを膨張させる際にバルーンが狭窄部から位置ずれし易い。そのため、バルーン拡張術では、まずバルーンを狭窄部に正しく配置することが重要である。
【０００７】
バルーンを狭窄部に正しく配置するため、内視鏡での視認によってバルーンの位置決めを行うことが考えられる。しかしながら、内視鏡での視認によってバルーンを狭窄部に正しく配置することは容易ではなかった。これは、バルーンを狭窄部に挿入すると、バルーンの一部が狭窄部に隠れてしまい、内視鏡での視認では、どの程度バルーンを挿入したかを把握しにくいためである。また、バルーンを狭窄部に挿入する際に、内視鏡の先端部を狭窄部から離すため、バルーンと狭窄部との距離感を掴み難いためである。
【０００８】
そこで従来は、狭窄部に対するバルーンの位置決めは、内視鏡による視認ではなく、Ｘ線ＣＴ装置などの透過装置を用いていた。具体的には、バルーンが設けられている部分のシャフトに放射線に対して不透過のマーカーを設け、透過装置でマーカーの位置を確認しながら、狭窄部に対するバルーンの位置決めを行うのである。
【０００９】
バルーン拡張術で透過装置を使用するため、バルーン拡張術は放射線管理区域で施術する必要があった。このため、必要な内視鏡機材を放射線管理区域に移設しなければならず、他の一般的な内視鏡施術よりも準備が煩雑であった。また、透過装置を使用するため、バルーン拡張術を施術される患者や、施術する医療従事者が被曝するおそれもあった。
【００１０】
本発明は、上記課題を解決すべくなされたものである。本発明の目的は、内視鏡での視認により、バルーンを狭窄部の適正位置に配置することができ、狭窄部を正しく拡張することのできるバルーンダイレーターを提供することである。
【課題を解決するための手段】
【００１１】
本発明の解決しようとする課題は以上の如くであり、次にこの課題を解決するための手段を説明する。
【００１２】
即ち、本発明のバルーンダイレーターは、内視鏡とともに用いて、膨張させたバルーンにより狭窄部を拡張させるバルーンダイレーターにおいて、
前記バルーンには、長手方向の中央部に中央マーカーを設けるとともに、前記中央マーカーよりも前記バルーンの先端側に先端側マーカー、前記中央マーカーよりも前記バルーンの基端側に基端側マーカーをそれぞれ設け、
前記中央マーカー、前記先端側マーカー、及び前記基端側マーカーは、前記バルーンの周方向に線状に形成され、かつ、前記中央マーカーは、前記先端側マーカー及び前記基端側マーカーよりも太く形成され、
前記バルーンは、可撓性を有するシャフトの先端側に接続され、
膨張する前の収縮した状態のバルーンは、内側面どうしを重ね合わせることにより二層状となった重合片が複数形成されるとともに、各重合片がそれぞれ前記シャフトに巻き付けられ、
前記バルーンは、生理食塩水で膨張させた際に、前記内視鏡で前記バルーン越しに前記狭窄部を視認できる光透過性を有し、
前記中央マーカー、前記先端側マーカー、及び前記基端側マーカーは、前記収縮した状態のバルーンの表面に連続線状に形成され、
前記中央マーカー、前記先端側マーカー、及び前記基端側マーカーは、前記バルーンを膨張させた際に前記重合片どうしの重なり合いが解消されて破線となる。
【発明の効果】
【００１３】
本発明の効果として、以下に示すような効果を奏する。
【００１４】
本発明のバルーンダイレーターによれば、バルーンには、長手方向の中央部に中央マーカーを設けるとともに、中央マーカーよりもバルーンの先端側に先端側マーカー、中央マーカーよりもバルーンの基端側に基端側マーカーをそれぞれ設け、中央マーカー、先端側マーカー、及び基端側マーカーは、バルーンの周方向に線状に形成され、かつ、中央マーカーは、先端側マーカー及び基端側マーカーよりも太く形成されている。このため、収縮しているバルーンを狭窄部に挿入する際に、バルーンに形成された中央マーカー、先端側マーカー、基端側マーカーと狭窄部との位置関係を内視鏡で視認しながら、バルーンを狭窄部の適正位置に配置させることができる。そして、その状態でバルーンを膨張させることにより、狭窄部を正しく拡張することができる。
【００１５】
また、内視鏡での視認により、バルーンを狭窄部の適正位置に配置できるため、透過装置を不要とすることができ、患者及び施術する医療従事者の被曝のおそれを解消できる。さらに、通常の内視鏡術と同様の準備だけでよいため、施術の準備作業の労力及び医療コストを大きく軽減できる。
また、膨張する前の収縮した状態のバルーンは、内側面どうしを重ね合わせることによ
り二層状となった重合片が複数形成されてとともに、各重合片は、それぞれシャフトに巻
き付けられる。これにより、バルーンは、コンパクトな収納形態となる。
【００１６】
本発明のバルーンダイレーターによれば、バルーンは、生理食塩水で膨張させた際に、内視鏡でバルーン越しに狭窄部を視認できる光透過性を有している。このため、バルーンに形成した中央マーカーが狭窄部に正しく位置しているかどうかを、内視鏡を用いてバルーン越しに確認することができる。
【００１７】
本発明のバルーンダイレーターによれば、中央マーカー、先端側マーカー、及び基端側マーカーは、前記収縮した状態のバルーンの表面に連続線状に形成され、バルーンに形成した中央マーカー、先端側マーカー、及び基端側マーカーは、バルーンを膨張させた際に破線となる。このため、中央マーカー、先端側マーカー、及び基端側マーカーによって遮蔽される領域をできるだけ小さくすることができ、内視鏡でバルーン越しに狭窄部を視認する際に、中央マーカー、先端側マーカー、及び基端側マーカーのそれぞれ自体が障害となることがなく、確実な視認を行うことができる。
【図面の簡単な説明】
【００１８】
【図１】バルーンダイレーター１０の概略説明図である。
【図２】内視鏡２０とともに使用されるバルーンダイレーター１０の説明図である。
【図３】図１のＡ―Ａ線におけるバルーン１３の断面模式図である。
【図４】本発明に係るバルーンダイレーターの使用方法の説明写真である。
【図５】本発明に係るバルーンダイレーターの使用方法の説明写真である。
【図６】本発明に係るバルーンダイレーターの使用方法の説明写真である。
【図７】本発明に係るバルーンダイレーターの使用方法の説明写真である。
【図８】本発明に係るバルーンダイレーターの使用方法の説明写真である。
【発明を実施するための形態】
【００１９】
次に、発明の実施の形態について図を用いて説明する。
【００２０】
本発明の実施形態に係るバルーンダイレーター１０は、生体内の管腔に生じた狭窄を拡張させるバルーン拡張術において、内視鏡２０とともに用いられるものである。図１、図２に示すように、バルーンダイレーター１０は、主としてコネクタ１１、シャフト１２、バルーン１３から構成される。コネクタ１１は、シャフト１２の基端側に接続されており、バルーン１３はシャフト１２の先端側に接続されている。シャフト１２の基端側とは、バルーン拡張術を行う際に施術者の手元側の部分であり、シャフト１２の先端側とは、バルーン拡張術を行う際に看者の管腔側となる部分である。説明の便宜上、図１ではバルーン１３を膨張させた状態を示している。図２、図３に示すように、バルーン１３は、膨張させる前には収縮しており、シャフト１２に巻き付けられている。
【００２１】
コネクタ１１は、シリンジ及びプランジャーを備えた図示しないインフレーションシステムと接続可能である。インフレーションシステムは、作動流体としての生理食塩水をバルーン１３に送給可能とし、逆にバルーン１３内の生理食塩水を吸引可能としている。作動流体は、生理食塩水に限定されず、空気等の気体を用いてもよいが、圧力制御及び温度制御の容易性から生理食塩水を用いることが好ましい。
【００２２】
シャフト１２は、可撓性を有するチューブであり、バルーン１３への生理食塩水の給排水を可能としている。バルーン１３が設けられる部分には、バルーン１３内に生理食塩水を送給するための送給口（図示せず）を設けている。シャフト１２は、生理食塩水を流通させるだけでなく、必要に応じてガイドワイヤなどを設けてもよい。また、シャフト１２は、バルーン１３部分より先端側はチューブ状ではなく、図３に示すように中実の棒状として剛性を高め、狭窄部への挿入作業を行いやすくしている。
【００２３】
バルーン１３は、シリコンゴムなどの合成樹脂製であって、適度の弾性を有する膜で構成している。生理食塩水が送給されると、バルーン１３は、シャフト１２を中心軸とした円筒状に膨張する。尚、バルーン１３は、円筒状だけでなく、径寸法の異なる複数の球状体を長手方向に沿って連結させたような形状など、種々の形状のものがあり、形状は限定されない。
【００２４】
バルーン１３は、可視光領域での光透過性を有している。このため、生理食塩水でバルーン１３を膨張させた際に、内視鏡２０でバルーン１３越しに狭窄部を視認できる。バルーン１３の可視光領域での光透過性を高めるため、バルーン１３を構成するシリコンゴムの透明度は高いほどよい。
【００２５】
図３に示すように、膨張する前の収縮した状態のバルーン１３は、内側面どうしを重ね合わせることにより二層状となった重合片１３Ｄが複数形成されている。各重合片１３Ｄは、それぞれシャフト１２に巻き付けられる。これにより、バルーン１３は、コンパクトな収納形態となる。
【００２６】
図２に示すように、バルーン拡張術を行う場合には、バルーンダイレーター１０を内視鏡２０の鉗子口２１に装着する。収納形態に収縮させたバルーン１３は、鉗子口２１に収容されている。内視鏡２０の先端部には、鉗子口２１の他に、対物レンズ２２、照明用ライト２３、必要に応じて水や空気を送り出すノズル２４が設けられている。内視鏡２０を操作して先端部が目標の狭窄部に達したところで、鉗子口２１からバルーンダイレーター１０のバルーン１３を送り出し、狭窄部に挿入する。生理食塩水でバルーン１３を膨張させることにより狭窄部を拡張させる。
【００２７】
ここで、本発明に係るバルーンダイレーター１０の特徴は、図１に示すように、バルーン１３に中央マーカー１３Ａ、先端側マーカー１３Ｂ、及び基端側マーカー１３Ｃの少なくとも３つのマーカーを設けていることにある。中央マーカー１３Ａ、先端側マーカー１３Ｂ、及び基端側マーカー１３Ｃは、円筒状に膨張するバルーン１３の周方向に向けて線状に形成される。
【００２８】
中央マーカー１３Ａは、バルーン１３の長手方向の中央部に設けられる。先端側マーカー１３Ｂは、中央マーカー１３Ａよりもバルーン１３の先端側に設けられる。基端側マーカー１３Ｃは、中央マーカー１３Ａよりもバルーン１３の基端側に設けられる。尚、中央マーカー１３Ａが設けられる位置は、バルーン１３の長手方向の中央部に限定されない。例えば、円筒状のバルーン１３の場合には、バルーン１３の長手方向の中央部に設けることが好ましいが、円筒状ではないバルーン１３の場合には、必ずしもバルーン１３の長手方向の中央部である必要はない。
【００２９】
中央マーカー１３Ａと先端側マーカー１３Ｂの間隔、及び中央マーカー１３Ａと基端側マーカー１３Ｃの間隔は、バルーン１３の径寸法及び長さ寸法に応じて適宜の寸法とする。例えば、食道の吻合部に生じた狭窄に対する拡張術に使用するバルーンダイレーター１０では、中央マーカー１３Ａと先端側マーカー１３Ｂの間隔、及び中央マーカー１３Ａと基端側マーカー１３Ｃの間隔は、１〜３ｃｍ程度が好ましい。
【００３０】
また、先端側マーカー１３Ｂ、基端側マーカー１３Ｃは、それぞれ１本ではなく、所定間隔で複数本設けて、採寸可能としてもよい。
【００３１】
中央マーカー１３Ａは、先端側マーカー１３Ｂ、及び基端側マーカー１３Ｃよりも太く形成して、先端側マーカー１３Ｂ及び基端側マーカー１３Ｃよりも視認しやすくしている。中央マーカー１３Ａは、先端側マーカー１３Ｂ、及び基端側マーカー１３Ｃの線幅よりも単に太く形成するだけでなく、二重線あるいは三重線として、先端側マーカー１３Ｂ及び基端側マーカー１３Ｃよりも実質的に太く形成されていればよい。
【００３２】
中央マーカー１３Ａを、先端側マーカー１３Ｂ及び基端側マーカー１３Ｃよりも太幅の太線としているのは、中央マーカーの識別性を高めるためである。つまり、中央マーカー１３Ａは、先端側マーカー１３Ｂ、及び基端側マーカー１３Ｃに対して識別可能であればよい。
【００３３】
中央マーカー１３Ａ、先端側マーカー１３Ｂ、及び基端側マーカー１３Ｃの色は限定されない。しかしながら、赤色系統の色の場合には、出血と見間違えるおそれがあるので、赤色系統以外の色が好ましい。また、中央マーカー１３Ａ、先端側マーカー１３Ｂ、及び基端側マーカー１３Ｃは、バルーン１３の外側から視認できるだけでなく、バルーン１３の内側からも視認できる必要がある。本実施形態では、中央マーカー１３Ａ、先端側マーカー１３Ｂ、及び基端側マーカー１３Ｃは光透過性の少ない黒色としている。
【００３４】
図２、図３に示すように、本実施形態では、中央マーカー１３Ａ、先端側マーカー１３Ｂ、及び基端側マーカー１３Ｃは、収縮した状態のバルーン１３の所定位置に着色を行って形成している。このとき、中央マーカー１３Ａ、先端側マーカー１３Ｂ、及び基端側マーカー１３Ｃは、収縮した状態のバルーン１３の表面に連続線状に形成されている。バルーン１３を膨張させると、重合片１３Ｄどうしの重なり合いが解消されて、図１に示すように、中央マーカー１３Ａ、先端側マーカー１３Ｂ、及び基端側マーカー１３Ｃは、破線状態となる。尚、「破線」とは、「実線ではない不連続な線」の意味である。
【００３５】
中央マーカー１３Ａ、先端側マーカー１３Ｂ、及び基端側マーカー１３Ｃは、バルーン１３の膨張にともなって破線となるため、中央マーカー１３Ａ、先端側マーカー１３Ｂ、及び基端側マーカー１３Ｃによって遮蔽される領域を小さくすることができる。このため、バルーン１３を狭窄部において膨張させた後において、バルーン１３の中央マーカー１３Ａと狭窄部との位置関係を、バルーン１３の内側から内視鏡２０で確認しやすい。
【００３６】
一方、バルーン１３の膨張前には、収納形態のバルーン１３に実線の中央マーカー１３Ａ、先端側マーカー１３Ｂ、及び基端側マーカー１３Ｃが設けられており、内視鏡２０で視認しながら中央マーカー１３Ａ部分を狭窄部の適正位置に配置させることで、バルーン１３の長手方向の中央部を狭窄部の適正位置に配置させることができる。すなわち、Ｘ線ＣＴ装置などの透過装置を用いることなく確実にバルーン１３を適正位置に配置させ、バルーン１３を膨張させることで狭窄部を拡張させることができる。
【００３７】
本実施形態では、バルーン１３を膨張させた状態で、中央マーカー１３Ａ、先端側マーカー１３Ｂ、及び基端側マーカー１３Ｃが破線となるようにしたが、これに限定されない。例えば、中央マーカー１３Ａのみ破線とし、他を実線としてもよい。また、一点鎖線等、種々の線種を組み合わせてもよい。
【００３８】
本実施形態では、収縮した状態のバルーン１３の所定位置に着色を行って、中央マーカー１３Ａ、先端側マーカー１３Ｂ、及び基端側マーカー１３Ｃを形成したが、他の方法で形成してもよい。例えば、バルーン１３の素材であるシリコンゴムシートに中央マーカー１３Ａ、先端側マーカー１３Ｂ、及び基端側マーカー１３Ｃとなる着色を予め施しておき、裁断、シャフト１２への装着により、バルーン１３に、中央マーカー１３Ａ、先端側マーカー１３Ｂ、及び基端側マーカー１３Ｃを形成してもよい。
【００３９】
続いて、本実施形態のバルーンダイレーター１０の使用について説明する。まず、図４に示すように、内視鏡２０により狭窄部を確認する。
【００４０】
狭窄部の確認後、図２に示すように、内視鏡２０の鉗子口２１からバルーンダイレーター１０のバルーン１３を狭窄部に送り出し、図５に示すように、狭窄部に膨張前のバルーン１３を挿入する。
【００４１】
狭窄部にバルーン１３を挿入した後、内視鏡２０でバルーン１３の中央マーカー１３Ａを確認しながら、図６に示すように、狭窄部の適正位置に中央マーカー１３Ａを位置させる。図６中、「ａ」は中央マーカー１３Ａの位置を示しており、「ｂ」は基端側マーカー１３Ｃの位置を示している。
【００４２】
中央マーカー１３Ａを狭窄部に位置させたところで、バルーンダイレーター１０に接続したインフレーションシステムからバルーン１３内に生理食塩水を送給して、図７に示すように、バルーン１３を膨張させる。図７中、「ａ」は中央マーカー１３Ａの位置を示しており、「ｂ」は基端側マーカー１３Ｃの位置を示している。
【００４３】
本実施形態では、バルーン１３はほぼ透明であるので、図７に示すように、バルーン１３は、可視光領域の光を透過させ、内視鏡２０でバルーン１３越しに狭窄部を視認することができる。このため、バルーン１３に形成した中央マーカー１３Ａが狭窄部の適正位置に配置されているかどうかを内視鏡２０で確認することができる。バルーン１３に形成した中央マーカー１３Ａ、先端側マーカー１３Ｂ、及び基端側マーカー１３Ｃは、破線であるため、遮蔽される領域をできるだけ小さくすることができ、中央マーカー１３Ａ、先端側マーカー１３Ｂ、及び基端側マーカー１３Ｃ自体が障害となることがなく、確実な確認を行うことができる。
【００４４】
尚、バルーン１３に形成した中央マーカー１３Ａが、狭窄部の適正位置に配置されていなかった場合には、バルーン１３内の生理食塩水を抜いてバルーン１３を収縮させた後、適宜移動させ、再度バルーン１３内に生理食塩水を送給して膨張させることにより、中央マーカー１３Ａを狭窄部の適正位置に配置させることができる。
【００４５】
バルーン１３を所定時間膨張させた後、バルーン１３内の生理食塩水を抜いてバルーン１３を収縮させ、狭窄部から引き抜く。図８に示すように、内視鏡２０を用いて狭窄部だった部分の出血等の確認を行い、問題なければ内視鏡２０を引き抜いてバルーン拡張術を終了する。
【００４６】
バルーン１３の膨張による狭窄部の拡張は１回に限られず、バルーン１３の膨張と収縮を繰り返し行って、所望の拡張状態となるまで複数回行ってもよい。また、必要に応じて、バルーン１３の径寸法の異なる複数種類のバルーンダイレーター１０を用いて、狭窄部を段階的に拡張してもよい。
【００４７】
上述した説明では、一例として食道の吻合部に生じた狭窄に対する拡張術について説明したが、本発明のバルーンダイレーター１０は、これに限定されず、腸に生じた狭窄部や気管支に生じた狭窄部、あるいは血管に生じた狭窄部等、内視鏡を用いた種々のバルーン拡張術に用いることができる。
【００４８】
以上説明した本実施形態に係るバルーンダイレーター１０によれば、次のような効果を有する。
【００４９】
本実施形態に係るバルーンダイレーター１０のバルーン１３には、長手方向の中央部に中央マーカー１３Ａを設けるとともに、中央マーカー１３Ａよりもバルーン１３の先端側に先端側マーカー１３Ｂ、中央マーカー１３Ｂよりもバルーン１３の基端側に基端側マーカー１３Ｃをそれぞれ設け、中央マーカー１３Ａ、先端側マーカー１３Ｂ、及び基端側マーカー１３Ｃは、バルーン１３の周方向に線状に形成され、かつ、中央マーカー１３Ａは、先端側マーカー１３Ｂ及び基端側マーカー１３Ｃよりも太く形成されている。このため、収縮しているバルーン１３を狭窄部に挿入する際に、バルーン１３に形成された中央マーカー１３Ａ、先端側マーカー１３Ｂ、及び基端側マーカー１３Ｃと狭窄部との位置関係を内視鏡２０で視認しながら、バルーン１３を狭窄部の適正位置に配置させることができる。そして、その状態でバルーン１３を膨張させることにより、狭窄部を正しく拡張することができる。
【００５０】
また、内視鏡２０での視認により、バルーン１３を狭窄部の適正位置に配置できるため、透過装置を不要とすることができ、患者及び施術する医療従事者の被曝のおそれを解消できる。さらに、通常の内視鏡術２０と同様の準備だけでよいため、施術の準備作業の労力及び医療コストを大きく軽減できる。
【００５１】
本実施形態のバルーンダイレーター１０によれば、バルーン１３は、生理食塩水で膨張させた際に、内視鏡２０でバルーン１３越しに狭窄部を視認できる光透過性を有している。このため、バルーン１３に形成した中央マーカー１３Ａが狭窄部に正しく位置しているかどうかを、内視鏡２０を用いてバルーン１３越しに確認することができる。
【００５２】
本実施形態のバルーンダイレーター１０によれば、バルーン１３に形成した中央マーカー１３Ａ、先端側マーカー１３Ｂ、及び基端側マーカー１３Ｃは、バルーン１３を膨張させた際に破線となる。このため、中央マーカー１３Ａ、先端側マーカー１３Ｂ、及び基端側マーカー１３Ｃによって遮蔽される領域をできるだけ小さくすることができ、内視鏡２０でバルーン１３越しに狭窄部を視認する際に、中央マーカー１３Ａ、先端側マーカー１３Ｂ、及び基端側マーカー１３Ｃ自体が障害となることがなく、確実な視認を行うことができる。
【符号の説明】
【００５３】
１０    バルーンダイレーター
１１    コネクタ
１２    シャフト
１３    バルーン
１３Ａ  中央マーカー
１３Ｂ  先端側マーカー
１３Ｃ  基端側マーカー
１３Ｄ  重合片
【図１】
0006048946.tif 000002
【図２】
0006048946.tif 000003
【図３】
0006048946.tif 000004
【図４】
0006048946.tif 000005
【図５】
0006048946.tif 000006
【図６】
0006048946.tif 000007
【図７】
0006048946.tif 000008
【図８】
0006048946.tif 000009